(57)【特許請求の範囲】
【請求項１】
端末装置を接続するＳ／Ｔ接続点と、
該Ｓ／Ｔ接続点に接続されるＳ／Ｔ点トランスを備えたＤＳＵと、
装置内端末と、を有するＤＳＵ内蔵ＩＳＤＮ端末装置において、
ＤＳＵに入力された下り信号を、装置内端末へＳ／Ｔ点トランスを介さずに入力する下り信号線と、
装置内端末からＤＳＵに入力する上り信号を、前記Ｓ／Ｔ接続点とＳ／Ｔ点トランスとの間に供給する装置内端末用トランスと、
を備えたＤＳＵ内蔵ＩＳＤＮ端末装置。
【請求項２】
端末装置を接続するＳ／Ｔ接続点と、
該Ｓ／Ｔ接続点に接続されるＳ／Ｔ点トランスを備えたＤＳＵと、
装置内端末と、を有するＤＳＵ内蔵ＩＳＤＮ端末装置において、
ＤＳＵに入力された下り信号を、装置内端末へＳ／Ｔ点トランスを介さずに入力する下り信号線と、
装置内端末が出力する上り信号を、前記Ｓ／Ｔ点トランスを介さずにＤＳＵに入力する上り信号線と、
装置内端末が出力する上り信号を、前記Ｓ／Ｔ接続点とＳ／Ｔ点トランスとの間に供給してＤＳＵに入力する装置内端末用トランスと、
この装置内端末用トランスへの上り信号の供給をオン／オフするスイッチ手段と、
を備えたＤＳＵ内蔵ＩＳＤＮ端末装置。
【発明の詳細な説明】
【０００１】
【発明の属する技術分野】
この発明は、ＤＳＵ（宅内回線終端装置）を内蔵したＩＳＤＮ（総合デジタル通信網）の端末装置に関する。
【０００２】
【従来の技術】
ＩＳＤＮと端末装置とを接続するために、ユーザ・網インタフェースを形成する機能を有するＤＳＵ（Ｄｉｇｉｔａｌ  Ｓｅｒｖｉｃｅ  Ｕｎｉｔ：デジタル回線終端装置）が用いられる。ＤＳＵは、ＩＳＤＮに接続するためのＵ点接続端子と、端末装置に接続するためのＳ／Ｔ点接続端子を有している。
【０００３】
また、ＤＳＵ内蔵のターミナルアダプタ等のＤＳＵ内蔵ＩＳＤＮ端末装置では、装置内端末装置内部でＤＳＵに接続される。図３、図４に従来のＤＳＵを内蔵したＩＳＤＮ端末装置のブロック図を示す。図３は、装置内端末２３にドライバ３３、レシーバ３４を設け、Ｓ／Ｔ点トランス２４，２５を介してＤＳＵ２２のＳ／Ｔ点トランス２６，２７の外側すなわちＳ／Ｔ接続点側に接続したトランス接続タイプのＤＳＵ内蔵ＩＳＤＮ端末装置の構成図である。また、図４は、装置内端末４３をＤＳＵ４２内部の回線終端部４９の手前（端末側）にＴＴＬなどで直接接続したデジタル接続タイプのＤＳＵ内蔵ＩＳＤＮ端末装置の構成図である。
【０００４】
【発明が解決しようとする課題】
上記従来のＤＳＵ内蔵ＩＳＤＮ端末装置において、図３のトランス接続タイプのＩＳＤＮ端末装置は、ドライバ、レシーバ、２個のトランスなどの部品が必要となり部品点数が多くなる、ドライバ、レシーバを駆動する必要があるため消費電力が多い、トランスという比較的高価な部品を使用しなければならないため低価格化が困難である、などの問題点があった。
【０００５】
また、図４のデジタル接続タイプのＩＳＤＮ端末装置は、装置内端末４３からＤＳＵ４２を介してＩＳＤＮに送られるいわゆる上り信号が、Ｓ／Ｔ接続点のＴＡ，ＴＢ端子から出力されないため、利用者がこれをモニタすることができず保守性が悪いという問題点があった。
【０００６】
この発明は、構成が簡略で且つ装置内端末の上り信号をモニタ可能にしたＤＳＵ内蔵ＩＳＤＮ端末装置を提供することを目的とする。
【０００７】
【課題を解決するための手段】
この発明は、端末装置を接続するＳ／Ｔ接続点と、該Ｓ／Ｔ接続点に接続されるＳ／Ｔ点トランスを備えたＤＳＵと、装置内端末と、を有するＤＳＵ内蔵ＩＳＤＮ端末装置において、ＤＳＵに入力された下り信号を装置内端末へＳ／Ｔ点トランスを介さずに入力する下り信号線と、装置内端末からＤＳＵに入力する上り信号を前記Ｓ／Ｔ接続点とＳ／Ｔ点トランスとの間に供給する装置内端末用トランスと、を備えたことを特徴とする。
【０００８】
上記のように、ＤＳＵから装置内端末に入力するいわゆる下り信号をＳ／Ｔ点トランスを介さずにＴＴＬ接続等で直接入力することにより、部品点数を少なくし省電力化、低コスト化を図る。また、装置内端末からＤＳＵに入力するいわゆる上り信号を、トランス接続で前記Ｓ／Ｔ点トランスの外側から入力することにより、装置内端末が出力した上り信号を外部からモニタすることができるようになり保守性が高まる。
【０００９】
この発明は、端末装置を接続するＳ／Ｔ接続点と、該Ｓ／Ｔ接続点に接続されるＳ／Ｔ点トランスを備えたＤＳＵと、装置内端末と、を有するＤＳＵ内蔵ＩＳＤＮ端末装置において、
ＤＳＵに入力された下り信号を、装置内端末へＳ／Ｔ点トランスを介さずに入力する下り信号線と、装置内端末が出力する上り信号を前記Ｓ／Ｔ点トランスを介さずにＤＳＵに入力する上り信号線と、装置内端末が出力する上り信号を前記Ｓ／Ｔ接続点とＳ／Ｔ点トランスとの間に供給してＤＳＵに入力する装置内端末用トランスと、この装置内端末用トランスへの上り信号の供給をオン／オフするスイッチ手段と、を備えたことを特徴とする。
【００１０】
上記のように、装置内端末の上り信号はデジタル接続およびトランス接続の両方でＤＳＵに入力するようにし、スイッチ手段でトランスを介した上り信号の供給をオン／オフできるようにした。利用者は、上り信号をモニタするときのみ信号の供給をオンし、それ以外はトランスを介した信号の供給をオフしておく。これにより、上り信号のモニタが可能で且つ通常の消費電力を抑えることができる。
【００１１】
【発明の実施の形態】
図１はこの発明の実施形態であるＤＳＵ内蔵ＩＳＤＮ端末装置のブロック図である。このＩＳＤＮ端末装置１は、Ｕ接続点Ｌ１，Ｌ２、Ｓ／Ｔ接続点ＲＡ，ＲＢ，ＴＡ，ＴＢ、ＤＳＵ２、装置内端末３および装置内端末用Ｓ／Ｔ点トランス４を備えている。
【００１２】
ＤＳＵ２は、Ｕ点トランス１１を介してＵ接続点Ｌ１，Ｌ２と接続され、Ｓ／Ｔ点トランス５，６を介してＳ／Ｔ接続点ＲＡ，ＲＢ，ＴＡ，ＴＢと接続されている。Ｕ点トランス１１とＳ／Ｔ点トランス５，６とは、伝送路終端部１０、回線終端部９およびドライバ７、レシーバ８を介して接続されている。伝送路終端部１０は、ＩＳＤＮから受信した信号の波形を整形するとともに、回線終端部９から受信した信号をＩＳＤＮへ送出する回路部である。回線終端部９は、端末側（Ｓ／Ｔ点側）の信号とＩＳＤＮ側（Ｕ接続点側）の信号のフォーマット変換およびシーケンス制御をする回路部である。
【００１３】
ＩＳＤＮから入力された下り信号は、回線終端部９とドライバ７との間で線路Ｃを介して装置内端末３に入力される。また、装置内端末からＩＳＤＮに出力される上り信号は、レシーバ８と回線終端部９との間に線路Ｂを介して入力されている。レシーバ８から出力された信号と線路Ｂから入力された信号は加算器１２で加算合成されたのち回線終端部９に入力される。
【００１４】
また、装置内端末３は、トランス用のドライバ１３を内蔵しており、上り信号をこのドライバ１３を介して装置内端末用Ｓ／Ｔ点トランス４に入力する。装置内端末用Ｓ／Ｔ点トランス４は、上り信号のＳ／Ｔ接続点に接続されており、上記装置内端末３から出力された信号は、上り信号用のＳ／Ｔ点トランス６を介して、ＤＳＵ２のレシーバ８に入力されるとともに、Ｓ／Ｔ接続点ＴＡ，ＴＢから出力される。
【００１５】
この構成により、装置内端末３が出力した信号は装置内端末用Ｓ／Ｔ点トランス４を介してＳ／Ｔ接続点ＴＡ，ＴＢから出力され外部からモニタ可能である。なお、回線終端部９には、線路Ｂから入力された装置内端末の上り信号と装置内端末用Ｓ／Ｔ点トランス４，Ｓ／Ｔ点トランス６を介して入力された装置内端末の上り信号とが重畳して入力されるが、同じ信号が殆ど時間差なく入力されるため処理に支障はない。
なお、上記実施形態において、加算器１２は、デジタル信号の論理加算（ＯＲ演算）を行う加算器であり、装置内端末用Ｓ／Ｔ点トランス４、Ｓ／Ｔ点トランス６を介して入力される装置内端末３からの上り信号と、信号線路Ｂを介して入力される装置定端末３からの上り信号が重複してもアナログ信号の加算合成のようにレベルが２倍になるというようなことはない。なお、この上り信号用の信号線路Ｂおよび加算器１２は、この実施形態において必須ではない。
【００１６】
図２は上記実施形態のＤＳＵ内蔵ＩＳＤＮ端末装置１に、装置内端末３のドライバ１３をオン／オフするスイッチ１４を設けた構成を示す図である。この図において、図１と同一構成の部分は同一番号を付して説明を省略する。スイッチ１４は通常は、ドライバ１３の電源をオン／オフまたはバイアス電圧をオン／オフすることにより、信号の増幅動作をアクティブ／アンアクティブに切り換えるスイッチである。このスイッチ１４は通常はオフ側に切り換えられている。これにより、ドライバ１３は、動作せず電力を消費しない。このときＴＡ，ＴＢ端子に装置内端末３の上り信号は出力されない。一方、スイッチ１４をオンするとドライバ１３が動作して装置内端末３の上り信号が装置内端末用Ｓ／Ｔ点トランス４を介して出力され、これがＳ／Ｔ点トランス６を介してＤＳＵ２に入力されるとともに、Ｓ／Ｔ接続点のＴＡ，ＴＢ端子から出力され、外部からモニタできるようになる。
【００１７】
このＤＳＵ内蔵ＩＳＤＮ端末装置は、一般的にはターミナルアダプタまたはルータとして実現されるが、実施形態はこれに限定されない。
【００１８】
【発明の効果】
この発明によれば、構成の簡略化、省電力化を図ることができ、且つ装置内端末の上り信号を外部からモニタできるようになる。また、スイッチ手段を設けることにより、より省電力化を図ることができる。
【図面の簡単な説明】
【図１】この発明の実施形態であるＤＳＵ内蔵ＩＳＤＮ端末装置のブロック図
【図２】この発明の他の実施形態であるＤＳＵ内蔵ＩＳＤＮ端末装置のブロック図
【図３】従来のＤＳＵ内蔵ＩＳＤＮ端末装置のブロック図
【図４】従来のＤＳＵ内蔵ＩＳＤＮ端末装置のブロック図
【符号の説明】
１…ＤＳＵ内蔵ＩＳＤＮ端末装置、２…ＤＳＵ、３…装置内端末、４…装置内端末用Ｓ／Ｔ点トランス、５，６…Ｓ／Ｔ点トランス、１３…ドライバ、１４…スイッチ、ＴＡ，ＴＢ…Ｓ／Ｔ接続点の上り線端子、Ｂ…装置内端末からＤＳＵへの上り信号線路、Ｃ…装置内端末への下り信号線路
【図１】
0004144158.tif 000002
【図２】
0004144158.tif 000003
【図３】
0004144158.tif 000004
【図４】
0004144158.tif 000005